(57)【要約】【目的】  ポ−チ天井に設ける第２電気照明灯において、玄関扉上に採光ガラスを設けることなく第２電気照明灯の動作状況が確認できる構成を提供する。【構成】  玄関先に構える屋根１に第１採光部２を設け、屋根１内部と天井裏３に第１導入筒４を設け、玄関天井５に窓６を設け、第１採光部２と第１導入筒４と窓６を連結することで外光の採光を行い、玄関扉７周辺の採光ガラスを除去する様にし、玄関天井５に第１電気照明灯８を配置し、玄関先に構える屋根１下方のポ−チ天井９に第２電気照明灯１０を配置し、ポ−チ天井９にキャップ１１を固定し、キャップ１１内に第２電気照明灯１０を固定し、キャップ１１の側壁に第２採光部１２を設け、第２採光部１２と連結する第２導入筒１３を設け、キャップ１１と第２採光部１２と第２導入筒１３が第１導入筒４内に納まる様にし、第２採光部１２と第２導入筒１３を連結して窓６に接近させることで第２電気照明灯１０の明かりの採光を行う。【選択図】図１
2009062800.tif 000002
【特許請求の範囲】
【請求項１】
玄関先に構える屋根（１）に第１採光部（２）を設け、屋根（１）内部と天井裏（３）に第１導入筒（４）を設け、玄関天井（５）に窓（６）を設け、第１採光部（２）と第１導入筒（４）と窓（６）を連結することで外光の採光を行い、玄関扉（７）周辺の採光ガラスを除去する様にし、玄関天井（５）に第１電気照明灯（８）を配置し、玄関先に構える屋根（１）下方のポ−チ天井（９）に第２電気照明灯（１０）を配置し、ポ−チ天井（９）にキャップ（１１）を固定し、キャップ（１１）内に第２電気照明灯（１０）を固定し、キャップ（１１）の側壁に第２採光部（１２）を設け、第２採光部（１２）と連結する第２導入筒（１３）を設け、キャップ（１１）と第２採光部（１２）と第２導入筒（１３）が第１導入筒（４）内に納まる様にし、第２採光部（１２）と第２導入筒（１３）を連結して窓（６）に接近させることで第２電気照明灯（１０）の明かりの採光を行う様にした、玄関の採光構造の改良。
【請求項２】
玄関先に構える屋根（１）に第１採光部（２）を設け、住宅本体の第１壁（１６）から突出する様にして玄関扉（７）を備える第２壁（１７）を設け、これにより屋根（１）を上限とする範囲の第１壁（１６）を除去し、第１壁（１６）と第２壁（１７）との狭間に生じる空間に外光が射し込める様にする第１導入筒（４）を設け、玄関天井（５）に窓（６）を設け、第１採光部（２）と第１導入筒（４）と窓（６）を連結することで外光の採光を行い、玄関扉（７）周辺の採光ガラスを除去する様にし、玄関天井（５）に第１電気照明灯（８）を配置し、玄関先に構える屋根（１）下方のポ−チ天井（９）に第２電気照明灯（１０）を配置し、ポ−チ天井（９）にキャップ（１１）を固定し、キャップ（１１）内に第２電気照明灯（１０）を固定し、キャップ（１１）の側壁に第２採光部（１２）を設け、第２採光部（１２）と連結する第２導入筒（１３）を設け、キャップ（１１）と第２採光部（１２）と第２導入筒（１３）が屋根（１）内部に納まる様にし、第２採光部（１２）と第２導入筒（１３）を連結して窓（６）に接近させることで第２電気照明灯（１０）の明かりの採光を行う様にした、玄関の採光構造の改良。
【発明の詳細な説明】
【技術分野】
【０００１】  本発明は玄関における採光構造に関するものである。
【背景技術】
【０００２】  玄関先に構える屋根に第１採光部を設け、屋根内部と天井裏に第１導入筒を設け、玄関天井に窓を設け、第１採光部と第１導入筒と窓を連結することで外光の採光を行い、玄関扉周辺の採光ガラスを除去する様にしたものには特開２００７−１６２４４１号公報がある。
【発明が解決しようとする課題】
【０００３】  玄関において使用される電気照明灯には玄関天井に設ける第１電気照明灯及び、ポ−チ天井に設ける第２電気照明灯がある。又、従来の第１採光部は屋根の壁面又は、上面に設けられるため、第１採光部が第２電気照明灯の明かりを効率的に採光することは困難である。そのために犯罪対策の面で優れることになる玄関扉から乖離した採光ガラスを玄関扉上に設け、第２電気照明灯の動作状況を確認する手段が図られることになる。本発明はこれを更に改良し、玄関扉上に採光ガラスを設けることなく第２電気照明灯の動作状況が確認できる構成を提供するものである。
【課題を解決するための手段】
【０００４】  玄関先に構える屋根１に第１採光部２を設け、屋根１内部と天井裏３に第１導入筒４を設け、玄関天井５に窓６を設け、第１採光部２と第１導入筒４と窓６を連結することで外光の採光を行い、玄関扉７周辺の採光ガラスを除去する様にし、玄関天井５に第１電気照明灯８を配置し、玄関先に構える屋根１下方のポ−チ天井９に第２電気照明灯１０を配置し、ポ−チ天井９にキャップ１１を固定し、キャップ１１内に第２電気照明灯１０を固定し、キャップ１１の側壁に第２採光部１２を設け、第２採光部１２と連結する第２導入筒１３を設け、キャップ１１と第２採光部１２と第２導入筒１３が第１導入筒４内に納まる様にし、第２採光部１２と第２導入筒１３を連結して窓６に接近させることで第２電気照明灯１０の明かりの採光を行う。
【発明を実施するための最良の形態】
【０００５】  玄関においては玄関天井５に設ける第１電気照明灯８が玄関床を照らす一方、玄関先のポ−チ天井９に設ける第２電気照明灯１０がポ−チを照らすものである。図１に示す様にキャップ１１がポ−チ天井９に固定され、キャップ１１内に第２電気照明灯１０が固定されている。又、キャップ１１の側壁に第２採光部１２を設け、第２採光部１２と第２導入筒１３を連結し、第２導入筒１３は窓６に接近する位置まで延伸している。つまり、第２採光部１２から入る第２電気照明灯１０の明かりは第２導入筒１３を通過し、玄関天井５の窓６を経て玄関内に漏れることになり、第２電気照明灯１０が点灯又は、消灯していることの確認が可能になる。
【実施例】
【０００６】  又、キャップ１１の先端部にガラス板と防水枠により構成される蓋１４を装着して第２電気照明灯１０における防水及び防虫効果を高める様にする。
なお、第１採光部２がガラス板と防水枠により構成されるのに対して、第１導入筒４内にあり、且つ、前記の蓋１４の構成により第２採光部１２は開口箇所に留まるものである。又、第２採光部１２を開口穴に造作し、第２導入筒１３を開口穴に連結される丸パイプにする手段が図られる。
又、図１においては第１採光部２に隣接する格子１５は第１導入筒４内に設けることで屋根１の外観を良好なものにすると共に、格子１５への散乱物の付着及び、格子１５の腐蝕を抑止する手段が図られる。
なお、図１においては第１電気照明灯８はダウンライトを採用している。
又、図２は玄関先に構える屋根１に第１採光部２を設け、住宅本体の第１壁１６から突出する様にして玄関扉７を備える第２壁１７を設け、これにより屋根１を上限とする範囲の第１壁１６を除去し、第１壁１６と第２壁１７との狭間に生じる空間に外光が射し込める様にする第１導入筒４を設け、玄関天井５に窓６を設け、第１採光部２と第１導入筒４と窓６を連結することで外光の採光を行い、玄関扉７周辺の採光ガラスを除去する様にし、玄関天井５に第１電気照明灯８を配置し、玄関先に構える屋根１下方のポ−チ天井９に第２電気照明灯１０を配置し、ポ−チ天井９にキャップ１１を固定し、キャップ１１内に第２電気照明灯１０を固定し、キャップ１１の側壁に第２採光部１２を設け、第２採光部１２と連結する第２導入筒１３を設け、キャップ１１と第２採光部１２と第２導入筒１３が屋根１内部に納まる様にし、第２採光部１２と第２導入筒１３を連結して窓６に接近させることで第２電気照明灯１０の明かりの採光を行うものである。
又、図２においては第１導入筒４と第２導入筒１３の交差箇所に反射板１８を設けて外光及び第２電気照明灯１０の採光を反射させる手段が図られる。つまり、直接に入る外光を反射板１８により第１導入筒４内に拡散させると共に、第２電気照明灯１０の採光を反射板１８により効率的に窓６へ導くことができる。
【発明の効果】
【０００７】  本発明の構成により玄関扉７周辺や玄関扉７上に採光ガラスを設けることなく第２電気照明灯１０の動作状況が確認できることになる。つまり、この確認作業により点灯の確実性を高めることで夜間の出入りが滞りなく行え、或いは、消灯の確実性を高めることで消し忘れによる電力浪費を防止することができる。なお、第２採光部１２をポ−チ天井９やポ−チ天井９周辺の壁面に設ける代替構成も可能であるが、第２採光部１２が面前に現れることで景観が優れない他、本発明の構成の様に第２電気照明灯１０の光源の至近から対向して採光するものではないことで採光の効率が悪くなる。又、本発明のものは玄関天井５の高さが標準的であり、階上に控える間取りの造作に支障を来すことがない他、吹き抜けによる採光構造ではないことで床暖房等による室内暖気が上昇する懸念が少ない。
以上、本発明は防犯性を高めると共に、玄関内を照らす外光と第１電気照明灯８の二つの光源の方向を一致させることで影を抑える見易い玄関を創出し、又、玄関天井５に瀟洒な窓６を演出できる新展性があり、併せて、第２電気照明灯１０の側面灯光を効率的に採光する構成により第２電気照明灯１０の動作状況が確認できる機能を付加したものである。
【図面の簡単な説明】
【図１】  屋根１周辺の側断面図
【図２】  実施例を示す、屋根１周辺の側断面図
【符号の説明】
１  屋根                  ２  第１採光部            ３  天井裏
４  第１導入筒            ５  玄関天井              ６  窓
７  玄関扉                ８  第１電気照明灯        ９  ポ−チ天井
１０  第２電気照明灯      １１  キャップ            １２  第２採光部
１３  第２導入筒          １４  蓋                  １５  格子
１６  第１壁              １７  第２壁              １８  反射板
【図１】
2009062800.tif 000003
【図２】
2009062800.tif 000004